(57)【要約】【課題】調理油の拭き取り等に支障を来たさず、清潔感等を確保しつつ、個性ないしは個性感を付与することができる台所キャビネット用扉を提供すること。【解決手段】本扉１４，１６，１８，２０は、扉表面の一部に配置されて扉表面に個性感を付与する個性付与材２４と、上記個性付与材２４を含む扉表面全体を平坦な塗装面に仕上げる光透過性塗膜２８とを備えた構成。【選択図】図５
2007151930.tif 000002
【特許請求の範囲】
【請求項１】
開き戸式または引き戸式等の台所キャビネット用扉において、
扉表面の一部に配置されて扉表面に個性ないしは個性感を付与する個性付与材と、上記個性付与材を含む扉表面全体を平坦な塗装面に仕上げる光透過性塗膜とを備える、ことを特徴とする台所キャビネット用扉。
【請求項２】
上記個性付与材は、金属チップからなる、ことを特徴とする請求項１に記載の台所キャビネット用扉。
【請求項３】
上記個性付与材は、ワイヤ線材からなる、ことを特徴とする請求項１に記載の台所キャビネット用扉。
【請求項４】
上記個性付与材は、扉表面の表面色とは別異の表面色を有する、ことを特徴とする請求項１に記載の台所キャビネット用扉。
【請求項５】
上記個性付与材は、扉表面の一部に形成した凹部に収納されている、ことを特徴とする請求項１に記載の台所キャビネット用扉。
【請求項６】
上記個性付与材は、扉表面と略面一となる状態に上記凹部に収納されている、ことを特徴とする請求項５に記載の台所キャビネット用扉。
【請求項７】
上記個性付与材は、自然光や照明光により陰影が発生する凹凸表面を有する、ことを特徴とする請求項１ないし６のいずれかに記載の台所キャビネット用扉。
【請求項８】
上記個性付与材は、単一の凹部に異なる高さで複数収納されていることにより自然光や照明光により陰影が発生する凹凸表面を有する、ことを特徴とする請求項５または６に記載の台所キャビネット用扉。
【請求項９】
上記個性付与材は、上記凹部に収納され、外周面に凹凸形状を有するワイヤ線材により形成されていることにより自然光や照明光により陰影が発生する凹凸表面を有する、ことを特徴とする請求項５または６に記載の台所キャビネット用扉。
【請求項１０】
上記凹部が、複数、デザイン化された集合形態をなして扉表面の一部に形成され、それぞれの凹部に個性付与材が収納されている、ことを特徴とする請求項５または６に記載の台所キャビネット用扉。
【請求項１１】
上記個性付与材が扉開き側に形成されている、ことを特徴とする請求項１ないし１０のいずれかに記載の台所キャビネット用扉。
【請求項１２】
上記個性付与材は、磁性を有する材料を含む、ことを特徴とする請求項１ないし１１のいずれかに記載の台所キャビネット用扉。
【請求項１３】
少なくとも扉表面側が木質材からなる、ことを特徴とする請求項１ないし１２のいずれかに記載の台所キャビネット用扉。
【請求項１４】
上記個性付与材は、扉表面の表面粗さとは異なる表面粗さを有する、ことを特徴とする請求項１ないし１３のいずれかに記載の台所キャビネット用扉。
【請求項１５】
木質材料からなる扉基材と、この扉基材の表面に施された着色層と、この着色層の表面に施された塗膜とを備えた台所キャビネット用扉において、その扉表面の一部に形成された凹部と、この凹部に収納されて扉表面に個性ないしは個性感を付与する個性付与材と、を備え、上記塗膜が、上記個性付与材を含む扉表面全体を平坦な塗装面に仕上げる光透過性塗膜により構成されている、ことを特徴とする台所キャビネット用扉。
【請求項１６】
木質材料からなる扉基材と、この扉基材の表面に施された塗膜とを備えた台所キャビネット用扉において、その扉表面の一部に形成された凹部と、この凹部に収納されて扉表面に個性ないしは個性感を付与する個性付与材と、を備え、上記塗膜が、上記個性付与材を含む扉表面全体を平坦な塗装面に仕上げる光透過性塗膜により構成されている、ことを特徴とする台所キャビネット用扉。
【請求項１７】
上記個性付与材は、上記凹部に扉表面と略面一となる状態に収納されている、ことを特徴とする請求項１５または１６に記載の台所キャビネット用扉。
【請求項１８】
上記個性付与材は、自然光や照明光により陰影が発生する凹凸表面を有する、ことを特徴とする請求項１５または１６に記載の台所キャビネット用扉。
【請求項１９】
請求項１ないし１８のいずれかに記載の台所キャビネット用扉を備えた台所キャビネットを複数組み合わせて配置した、ことを特徴とするシステムキッチン。
【発明の詳細な説明】
【技術分野】
【０００１】
本発明は、台所のウォールキャビネット、ベースキャビネット、カップボード等、台所キャビネット用扉の改良に係り、より詳しくは、台所キャビネット用として平坦で没個性的とされていた扉表面に積極的に個性ないしは個性感を持たせるように改良することに関するものである。
【背景技術】
【０００２】
台所キャビネット用扉では、調理時に扉表面に付着した調理油やその他の拭き取り等の清掃の便や清潔感を得るうえでその扉表面は平坦な塗装面となるのが一般的であり、個性に乏しくなる傾向となる。一方、台所と食堂と居間とを１つの部屋で兼ねるためにインテリア(室内装飾)が重視されており、例えば、特許文献１のごとく、台所キャビネット用扉の扉表面に絵画や写真等を入れて該扉表面を装飾した例など多く提案されてきた。ところで、このような絵画や写真等は扉表面の装飾としての意味がある反面、扉表面に個性を持たせたり個性感を付与するところまでには至りにくい。近時においては、そのようなインテリアを重視する一方で、そのようなインテリアとは別に、使用上の制約から平坦となる台所キャビネット用扉の扉表面に個性感を付与することが好まれるようになっている。
【０００３】
しかしながら、例えば扉表面にシート等を単に貼着するのみでは、調理油の拭き取り等に要求される平坦性が阻害され、最も重要である清潔感等が損なわれてしまうので、扉表面に個性ないしは個性感を付与しつつも台所キャビネット用扉の扉表面の平坦性を維持して清潔感を確保することは相当な困難が伴う課題であった。
【特許文献１】特開平１１−２６２４１７号公報
【発明の開示】
【発明が解決しようとする課題】
【０００４】
したがって、本発明により解決すべき課題は、調理油の拭き取り等に支障を来たさず清潔感等を確保するためなどの理由から平坦性が要求される扉表面に個性ないしは個性感を付与することを可能とした台所キャビネット用扉およびシステムキッチンを提供することである。
【課題を解決するための手段】
【０００５】
本発明に係る台所用キャビネット扉は、開き戸式または引き戸式の台所用キャビネットの扉において、扉表面の一部に配置されて扉表面に個性ないしは個性感を付与する個性付与材と、上記個性付与材を含む扉表面全体を平坦な塗装面に仕上げる光透過性塗膜とを備えることを特徴とするものである。
【０００６】
扉形式には限定されない。
【０００７】
台所キャビネットの種類には限定されない。
【０００８】
塗膜は単層でも複数層でもよく、その層数に限定されない。
【０００９】
着色層は有っても無くてもよい。
【００１０】
個性付与材は、その配置位置には限定されない。
【００１１】
個性付与材は、色、形状、質感、表面粗さ、模様、等に限定されない。
【００１２】
個性付与材は、色、形状、質感、表面粗さ、模様、等により、扉の一部に配置されることにより、扉表面全体の平坦性を損なわずに個性感を付与することができるものが好ましい。個性付与材は材料に限定されない。個性付与材は扉表面の一部に配置されるだけでよく、また、意匠性や装飾性を目的する必要は必ずしもない。
【００１３】
個性付与材は、台所用キャビネット扉に、平坦で何も無い扉表面に使用者の意識を引き付ける箇所、つまり、台所用キャビネット扉に個性あるいは個性的な感覚を持たせることができるものである。その意味から、この個性ないしは個性感は、意匠や装飾のような美意識を抱かせるものとは異なり、台所用キャビネット扉それぞれの用途に合うようなイメージである。例えば、ウォールキャビネットの扉であれば、使用者より高い位置にある扉であるから、それに対応した形状にしたり、あるいは、ウォールキャビネットの扉であっても、複数の扉毎に対応した形状、色等を施した個性付与材として、その扉に個性あるいは個性感を持たせることができる。もちろん、台所用キャビネット扉には、多種多様の扉があるので、それぞれに対応した個性付与材とし、個性付与材それぞれが付与する個性あるいは個性感を使用者の好みに対応させ、使用者の個性をも表現することができる。これは、システムキッチンの台所用キャビネットは、複数の部屋の機能を持つ中に配置されるので、使用者の個性を使用者以外の他の人に伝えたりすることも可能となる。
【００１４】
以上のように、本発明によれば、個性付与材を扉表面の一部に配置するだけで、扉表面全体に個性ないしは個性感を付与することができる。この場合、この個性付与材を配置しても、塗膜により扉表面全体が平坦性が確保されているので、調理油の拭き取り等に支障を来たさず、扉表面を清潔な状態を確保しつつ、アピール性豊かな個性感を付与することができる。
【００１５】
本発明によればまた、全体が平坦で清潔感のある扉表面に対して、その清潔感を阻害することなく、その一部に色、形状等により個性感を付与した個性付与材を配置するだけで、使用者に印象的で個性豊かなイメージを与えることができる。この場合、個性付与材の素材、形状、個数および配置位置については、これらを適宜組み合わせることにより、多様な個性を付与することができる。
【００１６】
なお、本発明の台所用キャビネット扉においては、塗膜を厚くして個性付与材を扉内部に埋め込むように覆う構造とした場合、台所周囲の熱気や湿気の影響を受けず、変質や脱落のおそれをなくすことができる。
【００１７】
上記個性付与材は、金属チップであることが好ましい。この場合、金属チップはヘアライン仕上げされたものが好ましい。ヘアライン仕上げは表面に髪の毛のような細いラインが入る金属の仕上げ方法であり、扉表面の一部にこの個性付与材を配置するのみで扉表面の全体に個性感を効果的に与えることができる。
【００１８】
上記個性付与材は、ワイヤ線材であることが好ましい。扉表面の一部にこの個性付与材を配置するのみで扉表面の全体に個性感を効果的に与えることができる。
【００１９】
上記個性付与材は、扉表面の表面色とは別異の表面色を有することが好ましい。個性付与材の表面色を扉表面の表面色と別異とすることにより、扉表面全体に個性ないし個性感を付与する効果が高い。
【００２０】
上記個性付与材は、扉表面の一部に形成した凹部に収納されていることが好ましい。凹部の断面形状はＵ字状、Ｖ字状等、何でも良い。個性付与材は、扉表面と略面一となる状態に上記凹部に収納されていることが好ましい。この場合、塗膜の表面に影響が現れない、すなわち、個性付与材の表面高さが塗膜表面に現れない範囲で、個性付与材表面は、扉表面に対して、多少、突出しても凹入してもよい。上記構成の扉では、塗膜を通じて、扉表面と個性付与材表面とが対比的に見えるから、個性付与材の形状やその配置位置等と相俟って個性ないし個性感を付与することができる。この場合、個性付与材の素材、形状、個数および配置位置については、これらを適宜組み合わせることにより、多種多彩な個性を付与することができる。
【００２１】
上記個性付与材は、自然光や照明光により陰影が発生する凹凸表面を有することが好ましい。この陰影により、より個性感を発揮することができる。
【００２２】
上記個性付与材は、単一の凹部に異なる高さで複数収納されていることにより自然光や照明光により陰影が発生する凹凸表面を有することが好ましい。この陰影により、より個性感を発揮することができる。
【００２３】
上記個性付与材は、上記凹部に収納され、外周面に凹凸形状を有するワイヤ線材により形成されていることにより自然光や照明光により陰影が発生する凹凸表面を有することが好ましい。この陰影により、より個性ないしは個性感を発揮することができる。
【００２４】
上記凹部が、複数、デザイン化された集合形態をなして扉表面の一部に形成され、それぞれの凹部に個性付与材が収納されていることが好ましい。扉表面の一部に集合させた形態とすることにより、よりデザイン化した形態にすることができるので、より個性感を発揮することができる。また、上記光による陰影パターンをデザイン化することにより、より個性ないしは個性感を発揮することができる。例えば、窓際にシステムキッチンを配置する場合、窓から射し込む太陽の自然光で扉表面にその光の陰影ができているとき、その個性ないし個性感は格別なものとなる。また、照明光でも同様に扉表面にその光の陰影ができ、その個性ないし個性感を付与することができる。
【００２５】
上記個性付与材が扉開き側に形成されていることが好ましい。扉表面に開閉用取手が突設されていなかったり、あるいは扉開閉用手掛部が表面に突出しない状態で設けられているような場合、上記個性付与材が扉の開き側に配置されていると、個性付与材により扉の開き側を示すことができ、使用者は容易に扉の開き側の縁部や、手掛かり部に手指を掛けて扉を開くことができる。
【００２６】
上記個性付与材は、磁性を有する材料を含むことが好ましい。個性付与材が磁性を有する金属材であると個性付与材がある個所の表面に磁石を吸着させて、メモ紙等の保持に利用することができる。また、磁性を有する金属材からなる個性付与材を、扉の開き側の端部に配置して、キャビネットの本体側に設けられた磁石との吸着で、扉が閉じた状態に保たれるようにしてもよい。
【００２７】
少なくともその表面側が木質材からなることが好ましい。
【００２８】
上記個性付与材は、扉表面の表面粗さとは異なる表面粗さを有することが好ましい。例えば、扉表面を鏡面に、個性付与材表面はざらざらした感じ、あるいは、その逆もある。こうすることにより、扉表面に個性感を付与することができる。
【００２９】
なお、個性付与材としては、扉が木質扉基材からなる場合、光沢等の視覚的な質感に差をつけるために、例えば、金属板材、金属線材等の金属材を用いることが好ましい。個性付与材の素材、平面形状、個数および配置位置は、扉表面への埋め込み固定に支障が出ない範囲で、自由に選択しうる。
【００３０】
また、個性付与材としては、模様が印刷された印刷紙もしくはプラスチックの印刷シート等を用いることができる。個性付与材に、絵、模様、記号、文字等のデザインを施して個性感を与えるようにしてもよい。
【００３１】
なお、台所キャビネット用扉としては、扉基材上に凹部を設け、この凹部に個性付与材を収納した状態で透明合成樹脂シートを扉基材上に載置した構成とすることができる。こうすることにより光透過性塗膜を省略することができる。この場合、扉基材と透明合成樹脂シートとは透明あるいは硬化すると透明となる接着剤で接着することができる。接着剤には必要に応じて着色剤を添加して、着色接着剤として用いることができる。透明合成樹脂シートとしては、ポリエチレンシート、セロファン、アセテートシート、ポリ塩化ビニルシート、ポリプロピレンシート、ポリスチレンシート、ポリエステルシート、ナイロンシート、サランシート等が好適に用いられる。
【００３２】
なお、台所キャビネット用扉としては、扉基材上に凹部を設けず、裏面に凹部を有する透明合成樹脂シートの該凹部に個性付与材を収納した状態で透明合成樹脂シートを扉基材上に載置した構成とすることができる。こうすることにより光透過性塗膜を省略することができる。
【発明の効果】
【００３３】
本発明によれば、平坦性を損なわない一方で、その一部に設けた個性付与材により扉表面全体に個性ないしは個性感を付与することができる。
【発明を実施するための最良の形態】
【００３４】
以下、添付した図面を参照して本発明の実施の形態に係る台所キャビネット用扉を詳細に説明する。
【００３５】
図１に本発明の実施の形態に係る台所キャビネット用扉を組み込んだシステムキッチンを示す。このシステムキッチンは、シンク２を有するベースキャビネット４と、その上方に配されるウォールキャビネット６と、ガスコンロ等の加熱機器８と、レンジフード１０とを備えている。これらに通路を隔てて対向する位置にカップボード１２が配置されている。カップボード１２は図１では背面側なのでその正面側を図２に示す。ベースキャビネット４は、その開き戸式の収納扉１４に取手を備えるが、ウォールキャビネット６は、その開き戸式の収納扉１６に扉開閉用取手を備えていない。カップボード１２は、片面用のもので、上部下部それぞれに開閉式の収納扉１８，２０を備える。
【００３６】
これら各収納扉１４，１６，１８，２０のそれぞれに実施の形態の個性付与材２４が配置形成されている。この個性付与材２４は、これら収納扉表面の一部に配置されてこれら扉表面に個性ないしは個性感を付与することができるものである。各収納扉１４，１６，１８，２０のそれぞれはこれら個性付与材２４を含む扉表面全体を光透過性塗膜２８（図１、図２には符号を付していない）により平坦な塗装面に仕上げられている。
【００３７】
図３は上記各収納扉１４，１６，１８，２０のうち、ウォールキャビネット６の収納扉１６を示し、その個性付与材２４の使用例を示している。個性付与材２４は収納扉１６の開き側に配置されている。図３（ａ）は収納扉１６が閉じられている状態を示し、図３（ｂ）は収納扉１６が開いている状態を示している。この収納扉１６は扉開閉用取手が無いが、その収納扉１６下端周縁部が下方に突き出されていて、使用者は収納扉１６下端周縁部に手指をかけて収納扉１６を開閉する。この際、個性付与材２４が収納扉１６の開き側に配置されているから、容易に収納扉１６を開くことができるようになっている。
【００３８】
図４および図５を参照して収納扉１６の第１の構造を説明する。他の収納扉１４，１８，２０も同様の構成である。扉１６は、扉基材２６の表面に個性ないしは個性感を付与する個性付与材２４が埋め込まれ、光透過性塗膜２８で、扉表面全体が平坦に被覆されて構成されている。この塗膜２８はクローズ塗装になっている。扉基材２６は、木材を素材にして人工的に作られた木質材料で構成されている。この木質材料には、例えば合板、ＭＤＦ（中質繊維板）、集成材、ＬＶＬ、ＯＳＢ、パーティクルボード、ムク、突き板、これらの組み合わせ等がある。扉基材２６の表面全体に着色層３０が形成されている。この着色層３０は例えばポリエナメルが好ましい。
【００３９】
扉基材２６の表面の所要個所には、扉基材２６をその表面の着色層３０を含めて機械加工、例えば好ましくは切削加工により、個性付与材２４の平面形状に対応した大きさで、かつ個性付与材２４の板厚に対応した深さの凹部３２が形成されている。
【００４０】
個性付与材２４は、扉基材２６とは好ましくは異なる素材、例えば金属材からなるもので、上記凹部３２に収納固定されている。この固定は好ましくは接着剤３４の接着により行われる。個性付与材２４の表面は、上記固定状態で、着色層３０表面と面一となっている。個性付与材２４は、例えば矩形形状の金属チップであり、収納扉１６の開き側の下部２箇所に、複数の組み合わせによりデザイン化された形態で、集中配置されている。収納扉１６が左側軸ｓを中心に開閉するものとすると、個性付与材２４は、収納扉１６の右下部に集中して設けられている。この個性付与材２４の組み合わせ位置による全体パターンのデザインは種々に創作することができる。特に、個性付与材２４が配置される扉表面上の配置面積は扉表面の一部という制約があるが、扉表面全体が平坦であるために、個性付与材２４は、その個性感の付与には極めて効果的である。一方、個性付与材２４は、扉表面の一部に配置するので、台所用キャビネットの扉という平坦的で清潔なイメージを確保しつつ、個性ないしは個性感を付与することができるという効果は高いものである。
【００４１】
塗膜２８は、着色層３０表面と、個性付与材２４表面とが外部から見える状態で被覆されるもので、光透過性塗料、例えば透明あるいは半透明塗料により比較的厚肉に形成され、表面は平滑となっている。塗膜２８は、塗料を十分に浸透させるための下塗り層２８ａと、塗膜２８の肉厚感と塗面の平滑性を得るための中塗り層２８ｂと、塗膜２８の光沢、平滑性、色合いの外観を決める上塗り層２８ｃとからなる。上記中塗り層２８ｂや上塗り層２８ｃに着色剤を混入して補色することができる。塗膜２８の塗布装置には、スプレー、スプレッダー、フローコーター、カーテンコーター、バーコーター等を用いることができる。
【００４２】
図６を参照して収納扉１４，１６，１８，２０の第２の構造を説明する。ただし第２の構造の収納扉１４，１６，１８，２０はいずれも同一構造なので、収納扉１６の構造を代表して説明する。第２の構造の収納扉１６が、第１の構造の収納扉１６と相違するのは、着色層３０が省略されていることである。この場合、第２の構造の収納扉１６では、扉基材２６の表面模様が現われる。第２の構造の収納扉１６において、その他の構造は、第１の構造の収納扉１６と同様である。
【００４３】
図７を参照して収納扉１４，１６，１８，２０の第３の構造を説明する。ただし、第１の構造の収納扉１４，１６，１８，２０と同一符号を付す。第３の構造の収納扉１４，１６，１８，２０はいずれも同一構造なので、収納扉１６の構造を代表して説明する。第３の構造の収納扉１６が、第２の構造の収納扉１６と相違するのは、塗膜２８が単層となっていることである。第３の構造の収納扉１６において、その他の構造は、第１の構造の収納扉１６と同様である。
【００４４】
以下、第１の構造の収納扉１６の製法を、図８を参照して説明する。
【００４５】
（第１工程）
始めに、図８（ａ）に示す素地調整した扉基材２６を用意する。扉基材２６には木質材、例えば、ＭＤＦを用いて素地調整を行う。具体的には、扉基材２６の素地を検査し、欠陥があれば、その欠陥部の補修を行う。また、研磨により素地を平坦にする。
【００４６】
（第２工程）
次いで、図８（ｂ）で示すように、素地調整した扉基材２６の表面全体に、着色材を含むポリエナメルを塗布して着色層３０を形成する。これで、扉基材２６の材色が補強され、質感が良好となる等、木質材としての価値が高まる。
【００４７】
（第３工程）
次いで、図８（ｃ）で示すように、着色層３０を有する扉基材２６の表面の所要個所に、ＮＣ加工（切削）により、個性付与材２４の形状に対応した凹部３２を形成する。上記所要個所では着色層３２が除去されて、その内側の扉基材２６の本体部が切削される。荒目の研磨により、着色層３２の表面のほか、特に上記工程での切削で粗面となった部分を平滑にする。
【００４８】
（第４工程）
次いで、図８（ｄ）で示すように、扉基材２６の凹部３２の内面に接着剤３４を付着する。
【００４９】
（第５工程）
次いで、図８（ｅ）で示すように、扉基材２６の凹部３２内に個性付与材２４を嵌め込んで接着剤３４で固定する。これにより、扉基材２６に対する個性付与材２４の埋め込みが行われる。
【００５０】
（第６工程）
最後に、図８（ｆ）で示すように、個性付与材２４が埋め込まれた扉基材２６の表面に塗膜２８を形成する。この塗膜２８は、着色層３２の表面と個性付与材２４の表面それぞれにウッドシーラーを塗布して下塗り層２８ａを形成する。これは、塗膜２８の密着性の確保と、素材の耐久性の向上とを図るためである。毛羽取りをする。下塗り層２８ａの表面に、ポリクリヤーを塗布して中塗り層２８ｂを形成する。中塗り層２８ｂは肉厚の厚い層で、その厚さにより塗膜全体に肉厚感をもたらす。細目の研磨で、中塗り層２８ｂの表面を平滑にする。中塗り層２８ｂの平滑となった表面に、ＵＶ（紫外線硬化型）クリヤーを塗布して上塗り層２８ｃを形成する。
【００５１】
以上の第１ないし第６工程を経て収納扉を製造する。上記工程のうち、第２工程における着色層３２、第６工程における下塗り層２８ａ、上塗り層２８ｃの形成には、上記とは異なる塗料を用いてもよい。
【００５２】
上記工程で得られる収納扉１６では、透明の塗膜２８を通じて、着色層３２に覆われた扉基材２６の表面状態と個性付与材２４の表面状態とを対比して見ることができる。この場合、扉基材２６は、表面が平滑な塗膜２８に覆われているから、油や水の飛沫が付着しても、これを容易に拭き取ることができる。また、個性付与材２４は、厚い塗膜２８に覆われていて、周囲の熱気や湿気の影響を受けず、変質や脱落のおそれがない。
【００５３】
以上説明した第１ないし第３の構造を有する収納扉１６において、個性付与材２４には、磁性金属材を用いてもよい。個性付与材２４が磁性金属材で構成されている場合、個性付与材２４がある個所の表面に磁石を吸着させておくことができるから、メモ紙等を挟んで保持させることができる。
【００５４】
図９は、本発明の他の実施形態に係る扉の要部の拡大断面図である。この実施形態では、個性付与材２４の凹部３２への収納高さに高低が付くように厚肉部分２４ａと薄肉部分２４ｂとで構成する。
【００５５】
図９の収納扉１６の場合、図１０で示すように、個性付与材２４は、単一の凹部３２に異なる高さの部分２４ａ，２４ｂが有るので、台所の窓等から入り込んでくる自然光や台所やその周辺の照明光Ｌ１により陰影Ｓ１が発生する凹凸表面を有することになる。この陰影Ｓ１は、個性付与材２４の上記部分２４ａ，２４ｂの高低差、形状、等あるいは自然光の入光制御や照明光Ｌ１の制御により種々のパターンに制御することができるので、使用者に個性ないしは個性感に合う陰影Ｓ１に設定することができる。
【００５６】
図１１は、本発明のさらに他の実施形態を示す。この実施形態では、個性付与材２４は、ワイヤ線材で構成され、扉表面の溝状凹部３２に収納されている。この個性付与材２４も塗膜２８で被覆されている。図１１の収納扉１６の場合も個性付与材２４がその外周面に凹凸形状を有するワイヤ線材により構成されているので台所の窓等から入り込んでくる自然光や台所やその周辺の照明光Ｌ２により陰影Ｓ２が発生する凹凸表面を有する。この陰影Ｓ２は、個性付与材２４のワイヤ線材の長さ形状、凹凸表面形状等や自然光の入光制御や照明光Ｌ２の制御により、種々のパターンに制御することができるので、使用者に個性ないしは個性感に合う陰影Ｓ２に設定することができる。
【００５７】
なお、収納扉１４，１６，１８，２０のうち、ベースキャビネット１４の収納扉１４では個性付与材２４が、扉表面のほぼ中央に埋め込まれているが、他の収納扉１６，１８，２０とは、個性付与材２４の数、配置位置が異なるだけで、他の基本構成は同じであるので、その詳しい説明は略する。
【００５８】
なお、収納扉１６には、例えば、図１２（ａ）で示すようにいずれも同一形状の円形の金属チップからなる複数の個性付与材２４を配置することができる。この場合、扉基材２６表面に着色層３０が設けられていて、その着色層３０が例えば単色であれば、この個性付与材２４の色は、着色層３０とは異色とすると、個性が強調される。個性付与材２４は異なる円形としてもよい。
【００５９】
また、収納扉１６には、例えば、図１２（ｂ）で示すいずれも同一形状の三角形の金属チップからなる複数の個性付与材２４を配置することができる。この場合、扉基材２６表面に着色層３０が設けられていない。扉基材２６の木目が表面に現われる。個性付与材２４は例えば無模様としても、木目とは異なる模様を付してもよい。個性付与材２４は異なる三角形としてもよい。
【００６０】
また、収納扉１６には、例えば、図１２（ｃ）で示す複数のワイヤ線材をその配置にデザイン的にした複数の個性付与材２４を配置することができる。ワイヤ線材の長さは同一でも長短の組み合わせでもよい。
【００６１】
また、収納扉１６には、例えば、図１２（ｄ）で示す円形と三角形という異なる形状の金属チップからなる複数の個性付与材２４を配置することができる。
【００６２】
また、個性付与材２４を収納扉１６の中央側等に比較的大きい枠形状とし、この枠内に絵、文字、記号、その他を表記することができる。
【００６３】
個性付与材２４は、種々の形状、大きさ、あるいは、デザイン化した集合形態とすることができる。これらは、台所キャビネットの種類が多種多様であり、それら種類に応じて適宜に、個性付与材２４の色、大きさ、形状、模様、記号、絵、配置位置、等を選定することができる。
【図面の簡単な説明】
【００６４】
【図１】図１は本発明の実施形態に係るシステムキッチンの斜視図である。
【図２】図２は図１のカップボードの正面からの斜視図である。
【図３】図３（ａ）は図１のウォールキャビネットの収納扉の使用例を示す図で収納扉が閉じた状態の図、図３（ｂ）は同じく収納扉が開いた状態の図である。
【図４】図４は収納扉の正面図である。
【図５】図４の（５）−（５）線断面図である。
【図６】収納扉の変形例を示す図である。
【図７】収納扉の他の変形例を示す図である。
【図８】図８は収納扉の製法の各工程図を示し、図８（ａ）は素地調整した扉基材２６を用意する工程図、図８（ｂ）は着色層の形成工程図、図８（ｃ）は凹部の形成工程図、図８（ｄ）は接着剤３４の付着工程図、図８（ｅ）は凹部への個性付与材の収納工程図、図８（ｆ）は塗膜の形成工程図である。
【図９】図９は本発明の他の実施形態に係る収納扉の要部の拡大断面図である。
【図１０】図１０は、図９の収納扉に自然光や照明光で個性付与材により陰影が発生している様子を示す図である。
【図１１】図１１は本発明のさらに他の実施形態に係る収納扉の正面図である。
【図１２】図１２（ａ）は円形の個性付与材を備えた扉表面の正面図、図１２（ｂ）は三角形の個性付与材を備えた扉表面の正面図、図１２（ｃ）は線状の個性付与材を備えた扉表面の正面図、図１２（ｄ）は異なる形状の個性付与材を組み合わせて配置した扉表面の正面図である。
【符号の説明】
【００６５】
４  ベースキャビネット
６  ウォールキャビネット
１４，１６，１８，２０  収納扉
２４  個性付与材
２８  光透過性塗膜
【図１】
2007151930.tif 000003
【図２】
2007151930.tif 000004
【図３】
2007151930.tif 000005
【図４】
2007151930.tif 000006
【図５】
2007151930.tif 000007
【図６】
2007151930.tif 000008
【図７】
2007151930.tif 000009
【図８】
2007151930.tif 000010
【図９】
2007151930.tif 000011
【図１０】
2007151930.tif 000012
【図１１】
2007151930.tif 000013
【図１２】
2007151930.tif 000014